(57)【要約】【課題】優れた防火性能を有するとともに、部品点数および部品取り付け工数を削減できる開口部装置を提供すること。【解決手段】上枠１００、下枠２００および左右の縦枠３００，４００により枠組みされた窓枠１０と、窓枠１０内に収容された内障子２０および外障子３０と、を備える引違い窓１であって、内障子２０および外障子３０を構成する戸先框２４，３３の内壁面には、加熱発泡材７２ａ，７１ａが設けられ、加熱発泡材７２ａ，７１ａに対向する位置には、加熱発泡材７２ａ，７１ａを支持する支持部７２ｃ，７１ｃが設けられることを特徴とする引違い窓１である。【選択図】図４
2014196622.tif 000002
【特許請求の範囲】
【請求項１】
上枠、下枠および左右の縦枠により枠組みされた枠体と、
該枠体内に収容された障子と、を備える開口部装置であって、
前記障子を構成する框のうち少なくともいずれかの框の内壁面には、耐火材が設けられ、
前記耐火材に対向する位置には、前記耐火材を支持する支持部が設けられることを特徴とする開口部装置。
【請求項２】
前記支持部には、振れ止めが係止されることを特徴とする請求項１に記載の開口部装置。
【請求項３】
前記支持部は、前記框の見付け方向外側に延出する延出部に設けられることを特徴とする請求項２に記載の開口部装置。
【請求項４】
前記延出部の上端部には、上框に形成されたガイドレールに当接する上部振れ止めが設けられ、
前記延出部の下端部には、下框に形成されたガイドレールに当接する下部振れ止めが設けられ、
前記耐火材は、前記上部振れ止めおよび前記下部振れ止めにより上下方向の移動が規制されて前記框に固定されることを特徴とする請求項３に記載の開口部装置。
【請求項５】
前記延出部は、前記框の屋内側端部から延出する屋内側延出部と、前記框の屋外側端部から延出する屋外側延出部と、から構成され、
前記振れ止めは、前記屋外側延出部に設けられる緩衝部材係合片と、前記屋内側延出部に設けられる係止片と、前記支持部と、の間に嵌合することを特徴とする請求項３又は４に記載の開口部装置。
【請求項６】
前記延出部は、前記框の屋内側端部から延出する屋内側延出部と、前記框の屋外側端部から延出する屋外側延出部と、から構成され、
前記屋内側延出部の先端側には、樹脂部材が取り付けられ、
前記振れ止めは、前記屋外側延出部に設けられる緩衝部材係合片と、前記樹脂部材と、前記支持部と、の間に嵌合することを特徴とする請求項３又は４に記載の開口部装置。
【請求項７】
前記耐火材は、前記框の一端から他端まで連続して設けられることを特徴とする請求項１から６いずれかに記載の開口部装置。
【発明の詳細な説明】
【技術分野】
【０００１】
本発明は、開口部装置に関する。詳しくは、優れた防火性能を有する開口部装置に関する。
【背景技術】
【０００２】
近年、建物の壁に形成された開口部に納められる開口部装置について、さらなる防火性能の向上が求められている。例えば、防火性能を向上させるために、障子の戸先框の戸先側に、耐火材としての加熱発泡材が取り付けられた引違い窓が開示されている（例えば、特許文献１参照）。
【先行技術文献】
【特許文献】
【０００３】
【特許文献１】特開２０１２−１３６９２７号公報
【発明の概要】
【発明が解決しようとする課題】
【０００４】
しかしながら、障子の戸先框の戸先側には、障子のがたつきを防止するための振れ止めが取り付けられる。そのため、振れ止めが取り付けられる位置に加熱発泡材を取り付ける場合には、振れ止めを切り欠く等して、加熱発泡材を取り付ける部分を新たに作る必要があった。
【０００５】
また、上下に亘って戸先框の戸先側に加熱発泡材を取り付ける際には、振れ止めの取り付け部位を避けて、加熱発泡材が貼付される。従って、振れ止めが取り付けられる部位の加熱発泡材は、経年劣化によって剥がれ落ちると、火災発生時にその性能を発揮できなかった。
【０００６】
本発明は上記に鑑みてなされたものであり、その目的は、経年後においても優れた防火性能を発揮できる開口部装置を提供することにある。
【課題を解決するための手段】
【０００７】
上記目的を達成するため本発明は、上枠（例えば、後述の上枠１００）、下枠（例えば、後述の下枠２００）および左右の縦枠（例えば、後述の縦枠３００，４００）により枠組みされた枠体（例えば、後述の窓枠１０）と、該枠体内に収容された障子（例えば、後述の内障子２０，外障子３０）と、を備える開口部装置（例えば、後述の引違い窓１）であって、前記障子を構成する框のうち少なくともいずれかの框（例えば、後述の戸先框２４，３３）の内壁面には、耐火材（例えば、後述の加熱発泡材７２ａ，７１ａ）が設けられ、前記耐火材に対向する位置には、前記耐火材を支持する支持部（例えば、後述の支持部７２ｃ，７１ｃ）が設けられることを特徴とする開口部装置を提供する。
【０００８】
本発明では、障子を構成する框のうち少なくともいずれかの框の内壁面に、耐火材を設ける。また、耐火材に対向する位置には、耐火材を支持する支持部を設ける。
これにより、耐火材に対向する位置に設けた支持部により、耐火材を支持できるため、経年後においても、耐火材が脱落することがなく、優れた防火性能を発揮できる。
【０００９】
上記支持部には、振れ止め（例えば、後述の中間振れ止め部材６２，６５）が係止されることが好ましい。
【００１０】
この発明では、耐火材を支持する支持部に、振れ止めを係止する。
これにより、振れ止めが取り付けられる部位において、框の内壁面と支持部との間に耐火材を設けることができる。即ち、従来では、振れ止めが取り付けられる位置に耐火材を取り付ける場合には、振れ止めを切り欠く等して耐火材を取り付ける部分を新たに作る必要があったところ、この発明によれば、耐火材の支持部を利用することで、その必要が無い。
【００１１】
上記支持部は、上記框の見付方向外側に延出する延出部（例えば、後述の金属戸先框延出部３３１ｃ，３３１ｄ）に設けられることが好ましい。
【００１２】
この発明では、支持部を、框の見付方向外側に延出する延出部に設ける。
ここで、框の見付方向外側には、通常、振れ止めが設けられる。従って、この発明によれば、上述の効果が確実に発揮される。
【００１３】
上記延出部の上端部には、上框（例えば、後述の上框２１，３１）に形成されたガイドレール（例えば、後述の内障子用ガイドレール１１２，外障子用ガイドレール１１３）に当接する上部振れ止め（例えば、後述の上部振れ止め部材５１，５２）が設けられ、上記延出部の下端部には、下框（例えば、後述の下框２２，３２）に形成されたガイドレール（例えば、後述の内障子用ガイドレール２１８，外障子用ガイドレール２１９）に当接する下部振れ止め（例えば、後述の下部振れ止め部材５３，５４）が設けられ、上記耐火材は、上記上部振れ止めおよび上記下部振れ止めにより上下方向の移動が規制されて前記框に固定されることが好ましい。
【００１４】
この発明では、延出部の上端部に上部振れ止めを設け、延出部の下端部に下部振れ止めを設ける。また、これら上部振れ止めおよび下部振れ止めにより、耐火材の上下方向の移動を規制することで、耐火材を框に固定する。
これにより、框の内壁面と支持部との間に設けた耐火材を、上部振れ止めおよび下部振れ止めにより固定できる。従って、この発明によれば、経年後における耐火材の脱落をより確実に回避でき、より優れた防火性能を発揮できる。
【００１５】
上記延出部は、上記框の屋内側端部から延出する屋内側延出部（例えば、後述の金属戸先框延出部３３１ｄ）と、上記框の屋外側端部から延出する屋外側延出部（例えば、後述の金属戸先框延出部３３１ｃ）と、から構成され、上記振れ止めは、上記屋外側延出部に設けられる緩衝部材係合片（例えば、緩衝部材係合片３３１ｇ）と、上記屋内側延出部に設けられる係止片（例えば、後述の係止片７１ｄ）と、上記支持部と、の間に嵌合することが好ましい。
【００１６】
この発明では、振れ止めを、屋外側延出部に設けられる緩衝部材係合片と、屋内側延出部に設けられる係止片と、支持部と、の間に嵌合する。
これにより、振れ止めを框内に確実に固定できるとともに、火災発生時において、支持部を介して振れ止めに隣接して設けられた耐火材が発泡したときには、発泡した耐火材により振れ止めが外側に押し出され、その嵌合が解除される。即ち、この発明によれば、耐火材の発泡を妨げることがないため、より優れた防火性能を発揮できる。
【００１７】
上記延出部は、上記框の屋内側端部から延出する屋内側延出部（例えば、後述の金属戸先框延出部３３１ｄ）と、上記框の屋外側端部から延出する屋外側延出部（例えば、後述の金属戸先框延出部３３１ｃ）と、から構成され、上記屋内側延出部の先端側には、樹脂部材（例えば、後述の樹脂戸先框本体３３２ａ）が設けられ、上記振れ止めは、上記屋外側延出部に設けられる緩衝部材係合片（例えば、緩衝部材係合片３３１ｇ）と、上記樹脂部材と、上記支持部と、の間に嵌合することが好ましい。
【００１８】
この発明では、振れ止めを、屋外側延出部に設けられる緩衝部材係合片と、屋内側延出部の先端側に設けられた樹脂部材と、支持部と、の間に嵌合する。
これにより、振れ止めを框内に確実に固定できるとともに、火災発生時において、支持部を介して振れ止めに隣接して設けられた耐火材が発泡したときには、発泡した耐火材により振れ止めが外側に押し出され、その嵌合が解除される。即ち、この発明によれば、耐火材の発泡を妨げることがないため、より優れた防火性能を発揮できる。
【００１９】
上記耐火材は、上記框の一端から他端まで連続して設けられることが好ましい。
【００２０】
この発明では、耐火材を、框の一端から他端まで連続して設ける。
これにより、火災発生時には、枠体と障子との間の隙間を耐火材により十分に埋めることができ、炎の侵入を抑制できる。従って、この発明によれば、さらに優れた防火性能が得られる。
また、この発明によれば、框の一端から他端まで連続して耐火材を設けるため、例えば従来のように振れ止めを避けるように複数の耐火材を設けた場合と比べて、部品点数および部品取り付け工数を削減できる。
【発明の効果】
【００２１】
本発明によれば、経年後においても優れた防火性能を発揮できる開口部装置を提供できる。
【図面の簡単な説明】
【００２２】
【図１】本発明の一実施形態に係る引違い窓を屋内側から見た正面図である。
【図２】上記実施形態に係る引違い窓の縦断面図である。
【図３】上記実施形態に係る引違い窓の横断面図である。
【図４】上記実施形態に係る引違い窓の戸先側の拡大横断面図である。
【図５】上記実施形態に係る引違い窓の戸先側において加熱発泡材が発泡したときの様子を示す図であり、（ａ）が、発泡した加熱発泡材により中間振れ止め部材が覆われたときの様子を示す図であり、（ｂ）が、発泡した加熱発泡材により中間振れ止め部材が外側に押し出されたときの様子を示す図である。
【図６】上記実施形態に係る引違い窓の戸先框を屋内側から見た部分透過正面図である。
【発明を実施するための形態】
【００２３】
以下、本発明の一実施形態について、図面を参照しながら詳しく説明する。なお、本明細書において、「見付方向」とは、建物の壁に形成された開口部に納められた引違い窓におけるガラスの面方向（即ち、左右方向）を意味し、「見込方向」とは、上記ガラスの厚さ方向（即ち、奥行き方向）を意味する。また、本実施形態において用いられる加熱発泡材は、耐火材の一種である。
【００２４】
図１は、本実施形態に係る引違い窓１を室内側から見た正面図である。より詳しくは、内障子２０および外障子３０を閉鎖したときの本実施形態に係る引違い窓１を、室内側から見た正面図である。
開口部装置としての引違い窓１は、建物の壁に形成された開口部に納められる。図１に示すように、引違い窓１は、いずれも長尺状の上枠１００、下枠２００および左右の縦枠３００，４００により矩形に枠組みされた窓枠１０と、該窓枠１０内に開閉可能に嵌め込まれた内障子２０および外障子３０と、を備える。
【００２５】
窓枠１０は、屋外側に配置された金属枠と、金属枠の屋内側に連結された樹脂枠と、を含んで構成される。即ち、窓枠１０は、熱伝導率の低い樹脂枠で金属枠の屋内側が覆われているため、優れた断熱性を有する。
金属枠は、例えばアルミの押出し成形品により構成される。樹脂枠は、例えば塩化ビニル樹脂等の合成樹脂の押出し成形品により構成される。
【００２６】
内障子２０は、いずれも長尺状の上框２１、下框２２および左右の縦框である召内框２３，戸先框２４により矩形に枠組みされた框体２５と、框体２５内に嵌め込まれて固定されたガラス２６と、を含んで構成される。
外障子３０は、いずれも長尺状の上框３１、下框３２および左右の縦框である召外框３４，戸先框３３により矩形に枠組みされた框体３５と、框体３５内に嵌め込まれて固定されたガラス３６と、を含んで構成される。
【００２７】
框体２５，３５は、それぞれ、屋外側に配置された金属框体と、金属框体の屋内側に連結された樹脂框体と、を含んで構成される。
金属框体は、例えばアルミの押出し成形品により構成される。樹脂框体は、例えば塩化ビニル樹脂等の合成樹脂の押出し成形品により構成される。
【００２８】
内障子２０と外障子３０の召合わせには、戸締り用のクレセント錠４０が設けられている。これら内障子２０および外障子３０は、いずれも引き戸であり、これらを見付方向にスライドさせることで、開口部が閉鎖又は開放される。
【００２９】
図２は、本実施形態に係る引違い窓１の縦断面図である。図２に示すように、ガラス２６，３６は、それぞれ、屋外側の板ガラス２６１，３６１と、屋内側の板ガラス２６２，３６２と、これら２枚の板ガラスで挟持されたスペーサ２６３，３６３と、を備える複層ガラスであり、優れた断熱性を有する。
【００３０】
上枠１００は、屋外側に配置された長尺状の金属上枠１１０と、金属上枠１１０の屋内側に連結されたいずれも長尺状の第１樹脂上枠１２０，第２樹脂上枠１３０と、を含んで構成される。
金属上枠１１０は、金属上枠本体１１１の屋内側の下面には、内障子用ガイドレール１１２が下方に垂設される。また、金属上枠本体１１１の屋外側の下面には、外障子用ガイドレール１１３が下方に垂設される。これらガイドレール１１２，１１３には、内障子２０又は外障子３０の上端部に取り付けられた後述の上部振れ止め部材５１，５２が係合する。これにより、内障子２０又は外障子３０が窓枠１０内を見付方向にスムーズにスライド可能となっている。
【００３１】
金属上枠本体１１１の屋内側に取り付けられた第１樹脂上枠１２０は、断面視略Ｕ字状でその開放側を下方に向け且つその屋外側の側面が内障子用ガイドレール１１２に面接触した第１樹脂上枠本体１２１と、第１樹脂上枠本体１２１の屋内側の開放側端部から屋内側に略水平に延出する第１樹脂上枠延出部１２２と、を備える。
【００３２】
金属上枠１１０の下面には、第２樹脂上枠１３０が、外障子用ガイドレール１１３から内障子用ガイドレール１１２まで延びて設けられる。
【００３３】
下枠２００は、屋外側に配置された長尺状の金属下枠２１０と、金属下枠２１０の屋内側に連結されたいずれも長尺状の第１樹脂下枠２２０，第２樹脂下枠２３０と、を含んで構成される。
金属下枠２１０は、中空部２１２を有するホロー構造の金属下枠本体２１１と、該金属下枠本体２１１の屋内側上部から、略水平に屋内側に延出する金属下枠水平部２１３と、金属下枠水平部２１３の屋内側端部に連結し且つ上下に延出する金属下枠垂直部２１４と、を備える。
【００３４】
中空部２１２内には、長尺状で断面視略Ｌ字状の下枠芯材２１５が、中空部２１２の天井面に取り付けられている。下枠芯材２１５には、取付金具２１６により加熱発泡材２１７が取り付けられる。
【００３５】
金属下枠水平部２１３の上面には、内障子用ガイドレール２１８が立設される。また、金属下枠本体２１１の上面には、外障子用ガイドレール２１９が立設される。これらガイドレール２１８，２１９には、内障子２０又は外障子３０の底部に取り付けられた戸車５６ａ，５６ｂが、転動可能に係合する。
【００３６】
金属下枠２１０の屋内側の上部に取り付けられた第１樹脂下枠２２０は、内障子用ガイドレール２１８から金属下枠垂直部２１４まで延設された第１樹脂下枠水平部２２１と、第１樹脂下枠水平部２２１の屋内側端部から金属下枠垂直部２１４に沿って上方に立設された第１樹脂下枠立設部２２２と、第１樹脂下枠立設部２２２の上端部から略水平に屋内側に延出する第１樹脂下枠延出部２２３と、を備える。
【００３７】
また、金属下枠本体２１１の上面には、第２樹脂下枠２３０が外障子用ガイドレール２１９から内障子用ガイドレール２１８まで延びて設けられる。
【００３８】
内障子２０の上框２１は、外障子３０の上框３１と略同一の構成であり、内障子２０の下框２２は、外障子３０の下框３２と略同一の構成である。従って、以下では、内障子２０の上框２１および下框２２についてのみ、詳しく説明する。
【００３９】
上框２１は、屋外側に配置された長尺状の金属上框９２１と、金属上框９２１の屋内側に連結された長尺状の樹脂上框８２１と、を含んで構成される。
金属上框９２１は、中空部９２１ｂを有するホロー構造の金属上框本体９２１ａと、金属上框本体９２１ａの下面の屋外側に下方に垂設された金属上框垂設部９２１ｃと、金属上框本体９２１ａの上面の屋外側および屋内側に立設された一対の金属上框立設部９２１ｄ，９２１ｅと、を備える。金属上框本体９２１ａの下面には、長尺状で断面視略コ字状のガラス保持金具５５がその開放側を下方に向けて取り付けられる。また、ガラス保持金具５５の下面には加熱発泡材２１ｂが取り付けられる。
【００４０】
一対の金属上框立設部９２１ｄ，９２１ｅ間には、加熱発泡材２１ｃを介して上部振れ止め部材５１が設けられ、この上部振れ止め部材５１に上述の内障子用ガイドレール１１２が係合する。一対の金属上框立設部９２１ｄ，９２１ｅの先端部間には、内障子用ガイドレール１１２に当接する緩衝部材２１ｄが取り付けられる。
【００４１】
金属上框９２１の屋内側に取り付けられた樹脂上框８２１は、金属上框９２１の屋内側の全面を覆う樹脂上框本体８２１ａと、樹脂上框本体８２１ａの下面の屋内側に下方に垂設された樹脂上框垂設部８２１ｂと、を備える。この樹脂上框垂設部８２１ｂと上述の金属上框垂設部９２１ｃとにより、緩衝部材２１ａを介してガラス２６の上端縁部が挟持される。
【００４２】
下框２２は、屋外側に配置された長尺状の金属下框９２２と、金属下框９２２の屋内側に連結された長尺状の樹脂下框８２２と、を含んで構成される。
金属下框９２２は、中空部９２２ｂを有するホロー構造の金属下框本体９２２ａと、金属下框本体９２２ａの上面の屋外側に立設された金属下框立設部９２２ｃと、を備える。金属下框本体９２２ａの上方には、長尺状で断面視略コ字状のガラス保持金具５７がその開放側を上方に向けて取り付けられる。また、ガラス保持金具５７の上面には加熱発泡材２２ｂが取り付けられる。
【００４３】
中空部９２２ｂ内には下部振れ止め部材５３が収容される。下部振れ止め部材５３の下端が、金属下框本体９２２ａの下面に形成された開口から下方に突出し、内障子用ガイドレール２１８に係合する。また、中空部９２２ｂ内には戸車５６ａが設けられ、この戸車５６ａが金属下框本体９２２ａの下面に形成された開口から下方に突出し、内障子用ガイドレール２１８に転動可能に係合する。以上により、戸車５６ａが内障子用ガイドレール２１８上を走行し、下部振れ止め部材５３が見込方向のがたつきを抑制することで、内障子２０が窓枠１０内を見付方向にスムーズにスライド可能となっている。
なお、中空部９２２ｂの屋外側の内壁面には、加熱発泡材２２ｃが取り付けられる。
【００４４】
金属下框９２２の屋内側に取り付けられた樹脂下框８２２は、金属下框９２２の屋内側の全面を覆う樹脂下框本体８２２ａと、樹脂下框本体８２２ａの上部の屋内側に立設された樹脂下框立設部８２２ｂと、を備える。この樹脂下框立設部８２２ｂと上述の金属下框立設部９２２ｃとにより、緩衝部材２２ａを介してガラス２６の下端縁部が挟持される。
【００４５】
なお、外障子３０の上框３１にのみ、樹脂上框８３１の屋外側の面に加熱発泡材３１ｄが取り付けられる。また、外障子３０の下框３２にのみ、樹脂下框８３２にサブロック５９が設けられる。
【００４６】
図３は、本実施形態に係る引違い窓１の横断面図である。図３に示すように、縦枠３００は、屋外側に配置された長尺状の金属縦枠３１０と、金属縦枠３１０の屋内側に連結された長尺状の樹脂縦枠３２０と、を含んで構成される。
金属縦枠３１０は、外障子３０側の面に上下方向に延設された縦枠リブ３１１を備える。この縦枠リブ３１１は、後述する戸先框３３の戸先側に取り付けられた中間振れ止め部材６２に当接する。
【００４７】
樹脂縦枠３２０は、金属縦枠３１０の内障子２０側の面に取り付けられた樹脂縦枠本体３２０ａと、樹脂縦枠本体３２０ａの屋内側の端部から屋内側に延出する樹脂縦枠延出部３２０ｂと、を備える。
樹脂縦枠本体３２０ａの内障子２０側の上部および下部には（図３では下部のみ記載）、内障子ストッパー６１が設けられる。この内障子ストッパー６１により、内障子２０の開放時に、後述のクレセント錠４０が縦枠３００に衝突するのが回避され、縦枠３００の損傷やクレセント錠４０の破損が回避される。
【００４８】
外障子３０の戸先框３３は、屋外側に配置された長尺状の金属戸先框３３１と、金属戸先框３３１の屋内側に取り付けられた樹脂戸先框３３２と、を含んで構成される。戸先框３３の構成については、後段で詳述する。
【００４９】
外障子３０の召外框３４は、長尺状の金属召外框３４１のみで構成される。即ち、召外框３４は、樹脂部材を含まず、金属部材のみで構成される。金属召外框３４１は、中空部３４１ｂを有するホロー構造の金属召外框本体３４１ａと、金属召外框本体３４１ａの屋外側端部および屋内側端部からガラス３６側に延出する一対の金属召外框延出部３４１ｃ，３４１ｄと、を備える。
【００５０】
一対の金属召外框延出部３４１ｃ，３４１ｄにより、緩衝部材３４ａを介してガラス３６の右側縁部が挟持される。金属召外框本体３４１ａのガラス３６側には、長尺状の断面視略Ｌ字状のガラス保持金具６４が取り付けられる。ガラス保持金具６４のガラス３６側には加熱発泡材３４ｂが取り付けられる。
金属召外框３４１の屋内側には、召内框２３に設けられた後述のクレセント錠４０のクレセント金具４１が係合するクレセント受け金具４５が設けられる。また、金属召外框３４１の屋内側には、召内框２３に設けられた後述の係合部２３１ｆが係合する被係合部３４ｃが設けられる。
【００５１】
内障子２０の召内框２３は、屋外側に配置された長尺状の金属召内框２３１と、金属召内框２３１の屋内側に連結された樹脂召内框２３２と、を含んで構成される。
金属召内框２３１は、仕切り壁２３１ｄで仕切られ見込方向に連なる中空部２３１ｂ，２３１ｃを有するホロー構造の金属召内框本体２３１ａと、金属召内框本体２３１ａの屋内側端部からガラス２６側の見付方向に延出し且つ先端がガラス２６側に屈曲した金属召内框延出部２３１ｅと、金属召内框本体２３１ａの屋外側端部からガラス２６側の見付方向に延出し且つ上述の被係合部３４ｃに係合する係合部２３１ｆと、を備える。
これら金属召内框延出部２３１ｅと係合部２３１ｆとにより、緩衝部材２３ａを介してガラス２６の左側縁部が挟持される。また、金属召内框本体２３１ａのガラス２６側および屋外側には、加熱発泡材２３ｂ，２３ｃが取り付けられる。
【００５２】
樹脂召内框２３２は、金属召内框本体２３１ａの屋内側の全面を覆うように設けられる。樹脂召内框２３２の外障子３０側の見込面には、戸締まり用のクレセント錠４０が設けられる。なお、樹脂召内框２３２の屋内側には、その全面を覆うカバー部材２３３が設けられる。
クレセント錠４０は、樹脂召内框２３２の外障子３０側の見込面に取り付けられた基部４３と、操作用レバー４２と、操作用レバー４２に連動して回転し、上述のクレセント受け金具４５に係合するクレセント金具４１と、基部４３に設けられたサブロック４４と、を備える。
【００５３】
内障子２０の戸先框２４は、上述の外障子３０の戸先框３３と比べて、樹脂戸先框２４２の形状が若干異なることと、樹脂戸先框２４２の屋内側の全面を覆うカバー部材２４３が設けられている以外は、戸先框３３と同一の構成である。なお、戸先框２４では、後述する戸先框３３の加熱発泡材収容部７１および加熱発泡材７１ａは、加熱発泡材収容部７２および加熱発泡材７２ａに相当する。
また、縦枠４００は、上述の縦枠３００と同一の構成である。
【００５４】
次に、外障子３０の戸先框３３の構成について、図４を参照して詳細に説明する。
図４は、本実施形態に係る引違い窓１の戸先側の拡大横断面図である。図４に示すように、金属戸先框３３１は、中空部３３１ｂを有するホロー構造の金属戸先框本体３３１ａと、金属戸先框本体３３１ａの戸先側の屋外側端部および屋内側端部から縦枠３００側に延出する一対の金属戸先框延出部３３１ｃ，３３１ｄと、金属戸先框本体３３１ａのガラス３６側の屋外側端部からガラス側に延出する金属戸先框延出部３３１ｅと、を備える。
金属戸先框本体３３１ａのガラス３６側には、長尺状で断面視略コ字状のガラス保持金具６３が取り付けられる。ガラス保持金具６３のガラス３６側には、加熱発泡材３３ｂが取り付けられる。
【００５５】
樹脂戸先框３３２は、金属戸先框３３１の屋内側の全面を覆う樹脂戸先框本体３３２ａと、樹脂戸先框本体３３２ａの屋内側端部からガラス３６側に延出する樹脂戸先框延出部３３２ｂと、を備える。この樹脂戸先框延出部３３２ｂと上述の金属戸先框延出部３３１ｅとにより、緩衝部材３３ａを介してガラス３６の左側縁部が挟持される。
【００５６】
ここで、戸先框３３の戸先側には、上述の一対の金属戸先框延出部３３１ｃ，３３１ｄにより、上下方向に延びる溝部７１ｂが形成される。この溝部７１ｂは、戸先框３３の上端から下端まで連続して形成される。
【００５７】
この溝部７１ｂの底部側、即ち金属戸先框本体３３１ａ側には、屋外側の金属戸先框延出部３３１ｃから内側に突出し、加熱発泡材７１ａを支持する支持部７１ｃが設けられる。即ち、加熱発泡材７１ａに対向する位置に、加熱発泡材７１ａを支持する支持部７１ｃが設けられる。支持部７１ｃは、戸先框３３の上端から下端まで通しで設けられる。なお、この支持部７１ｃには、後述するように中間振れ止め部材６２が係止される。
【００５８】
また、屋内側の金属戸先框延出部３３１ｄから内側に突出し、後述する中間振れ止め部材６２が係止される係止片７１ｄが設けられる。係止片７１ｄは、支持部７１ｃと同様に、戸先框３３の上端から下端まで通しで設けられる。
【００５９】
本実施形態では、金属戸先框本体３３１ａと一対の金属戸先框延出部３３１ｃ，３３１ｄに囲まれた溝部７１ｂの底部と、上述の支持部７１ｃおよび係止片７１ｄとにより、加熱発泡材収容部７１が形成される。この加熱発泡材収容部７１は、戸先框３３の上端から下端まで延設される。
【００６０】
加熱発泡材収容部７１には、加熱発泡材７１ａが収容される。この加熱発泡材７１ａは、加熱発泡材収容部７１の上端から下端まで通しで収容される。このように、戸先框３３の内壁面に形成された加熱発泡材収容部７１内に収容される加熱発泡材７１ａは、該内壁面に貼付する必要が無く、取り付けが容易である。
【００６１】
屋外側の金属戸先框延出部３３１ｃの先端内側には、内側に突出し、緩衝部材３３１ｆに係合する緩衝部材係合片３３１ｇが設けられる。緩衝部材３３１ｆおよび緩衝部材係合片３３１ｇは、戸先框３３の上端から下端まで通しで設けられる。
また、屋内側の金属戸先框延出部３３１ｄの先端には、上述の樹脂戸先框本体３３２ａが取り付けられる。
【００６２】
上述の溝部７１ｂには、溝部７１ｂに嵌合する形状に形成された中間振れ止め部材６２が設けられる。中間振れ止め部材６２は、溝部７１ｂの底部側に配置された基部６２ａと、基部６２ａの屋内側部分から縦枠３００側に延出する延出部６２ｂから構成される。
延出部６２ｂは、その屋外側の面が、基部６２ａから縦枠３００側に向かうに従い屋外側に傾斜した後、今度は逆に縦枠３００側に向かうに従い屋内側に傾斜するように形成される。これにより、外障子３０の閉鎖時に、縦枠３００に延設された上述の縦枠リブ３１１が、延出部６２ｂを摺接した後、緩衝部材３３１ｆを介して金属戸先框延出部３３１ｃとの間で挟持されるようになっている。
【００６３】
中間振れ止め部材６２は、上述の緩衝部材係合片３３１ｇと、係止片７１ｄと、支持部７１ｃと、の間に嵌合する形状を有する。また、中間振れ止め部材６２は、上述の緩衝部材係合片３３１ｇと、樹脂戸先框本体３３２ａと、支持部７１ｃと、の間に嵌合する形状を有する。これにより、中間振れ止め部材６２は、戸先框３３の溝部７１ｂに固定される。
【００６４】
ここで、図５は、本実施形態に係る引違い窓１の戸先側において、加熱発泡材７１ａが発泡したときの様子を示す図である。
図５（ａ）に示すように、火災発生時に加熱発泡材７１ａが発泡して膨張すると、支持部７１ｃを介して隣接する中間振れ止め部材６２が、発泡して膨張した加熱発泡材７１ａにより覆われる。あるいは、図５（ｂ）に示すように、発泡した加熱発泡材７１ａにより、中間振れ止め部材６２が外側に押し出され、その嵌合が解除される結果、脱落する。このようにして、加熱発泡材７１ａは発泡して膨張することで、優れた防火性能を発揮する。
【００６５】
図６は、本実施形態に係る引違い窓１の戸先框３３を屋内側から見た部分透過正面図である。図６に示すように、上述の中間振れ止め部材６２は、戸先框３３の上下方向の略中央部に設けられる。戸先框３３の戸先側の上端部には、上述の上部振れ止め部材５２が設けられ、戸先框３３の戸先側の下端部には、上述の下部振れ止め部材５４が設けられる。
【００６６】
図６に示すように、上部振れ止め部材５２および下部振れ止め部材５４は、それぞれ、加熱発泡材収容部７１の上端部および下端部に配置される。これにより、加熱発泡材収容部７１に上下方向に通しで収容された加熱発泡材７１ａは、上部振れ止め部材５２および下部振れ止め部材５４に当接している。即ち、加熱発泡材７１ａは、上部振れ止め部材５２および下部振れ止め部材５４により上下方向の移動が規制されることで、加熱発泡材収容部７１内に固定される。
【００６７】
以上の構成を備える本実施形態に係る引違い窓１によれば、以下の効果が奏される。
本実施形態では、内障子２０，外障子３０を構成する戸先框２４，３３の内壁面に、耐火材としての加熱発泡材７２ａ，７１ａを設けた。また、加熱発泡材７２ａ，７１ａに対向する位置には、加熱発泡材７２ａ，７１ａを支持する支持部７２ｃ，７１ｃを設けた。
これにより、加熱発泡材７２ａ，７１ａに対向する位置に設けた支持部７２ｃ，７１ｃにより、加熱発泡材７２ａ，７１ａを支持できるため、経年後においても、加熱発泡材７２ａ，７１ａが脱落することがなく、優れた防火性能を発揮できる。
【００６８】
また本実施形態では、加熱発泡材７２ａ，７１ａを支持する支持部７２ｃ，７１ｃに、中間振れ止め部材６５，６２を係止した。
これにより、中間振れ止め部材６５，６２が取り付けられる部位において、戸先框２４，３３の内壁面と支持部７２ｃ，７１ｃとの間に加熱発泡材７２ａ，７１ａを設けることができる。即ち、従来では、中間振れ止め部材が取り付けられる位置に加熱発泡材を取り付ける場合には、中間振れ止め部材を切り欠く等して加熱発泡材を取り付ける部分を新たに作る必要があったところ、本実施形態によれば、加熱発泡材７２ａ，７１ａの支持部７２ｃ，７１ｃを利用することで、その必要が無い。
【００６９】
また本実施形態では、支持部７１ｃを、戸先框３３の見付方向外側に延出する金属戸先框延出部３３１ｃに設けた。
ここで、戸先框の見付方向外側には、通常、中間振れ止め部材が設けられる。従って、本実施形態によれば、上述の効果が確実に発揮される。
【００７０】
また本実施形態では、金属戸先框延出部３３１ｃ，３３１ｄの上端部に上部振れ止め部材５２を設け、金属戸先框延出部３３１ｃ，３３１ｄの下端部に下部振れ止め部材５４を設けた。また、これら上部振れ止め部材５２および下部振れ止め部材５４により、加熱発泡材７１ａの上下方向の移動を規制することで、加熱発泡材７１ａを戸先框３３に固定した。
これにより、戸先框３３の内壁面と支持部７１ｃとの間に設けた加熱発泡材７１ａを、上部振れ止め部材５２および下部振れ止め部材５４により固定できる。従って、本実施形態によれば、経年後における加熱発泡材７１ａの脱落をより確実に回避でき、より優れた防火性能を発揮できる。
【００７１】
また本実施形態では、中間振れ止め部材６２を、金属戸先框延出部３３１ｃに設けられる緩衝部材係合片３３１ｇと、金属戸先框延出部３３１ｄに設けられる係止片７１ｄと、支持部７１ｃと、の間に嵌合した。また、中間振れ止め部材６２を、金属戸先框延出部３３１ｃに設けられる緩衝部材係合片３３１ｇと、金属戸先框延出部３３１ｄの先端側に設けられた樹脂戸先框本体３３２ａと、支持部７１ｃと、の間に嵌合した。
これにより、中間振れ止め部材６２を戸先框３３内に確実に固定できるとともに、火災発生時において、支持部７１ｃを介して中間振れ止め部材６２に隣接して設けられた加熱発泡材７１ａが発泡したときには、発泡した加熱発泡材７１ａにより中間振れ止め部材６２が外側に押し出され、その嵌合が解除される。即ち、本実施形態によれば、加熱発泡材７１ａの発泡を妨げることがないため、より優れた防火性能を発揮できる。
【００７２】
また本実施形態では、加熱発泡材７２ａ，７１ａを、戸先框２４，３３の一端から他端まで連続して設けた。
これにより、火災発生時には、窓枠１０と内障子２０，外障子３０との間の隙間を加熱発泡材７２ａ，７１ａにより十分に埋めることができ、炎の侵入を抑制できる。従って、本実施形態によれば、さらに優れた防火性能が得られる。
また、本実施形態によれば、戸先框２４，３３の一端から他端まで連続して加熱発泡材７２ａ，７１ａを設けるため、例えば従来のように中間振れ止め部材を避けるように複数の加熱発泡材を設けた場合と比べて、部品点数および部品取り付け工数を削減できる。
【００７３】
なお、本発明は上記実施形態に限定されるものではなく、本発明の目的を達成できる範囲での変形、改良等は本発明に含まれる。
上記実施形態では、本発明に係る加熱発泡材収容部を戸先框の戸先側に設けたが、これに限定されない。框体を構成する上框、下框および左右の縦框の他、窓枠を構成する上枠、下枠および左右の縦枠のいずれに設けてもよい。
【符号の説明】
【００７４】
１…引違い窓（開口部装置）
１０…窓枠（枠体）
２０…内障子（障子）
３０…外障子（障子）
２１，３１…上框（框）
２２，３２…下框（框）
２３…召内框（框）
２４，３３…戸先框（框）
３４…召外框（框）
２６，３６…ガラス
５１，５２…上部振れ止め部材
５３，５４…下部振れ止め部材
６２，６５…中間振れ止め部材
７１、７２…加熱発泡材収容部
７１ａ，７２ａ…加熱発泡材
７１ｂ，７２ｂ…溝部
７１ｃ，７２ｃ…支持部
７１ｄ，７２ｄ…係止片
１００…上枠
１１２，２１８…外障子用ガイドレール（ガイドレール）
１１３，２１９…内障子用ガイドレール（ガイドレール）
２００…下枠
３００，４００…左右の縦枠
３３１ｃ，３３１ｄ…金属戸先框延出部（延出部）
３３１ｇ…緩衝部材係合片
【図１】
2014196622.tif 000003
【図２】
2014196622.tif 000004
【図３】
2014196622.tif 000005
【図４】
2014196622.tif 000006
【図５】
2014196622.tif 000007
【図６】
2014196622.tif 000008